(57)【要約】【課題】ＣＰＴによる現場試験のデータとこれに基づく土質判定による土質構成を利用者に分かり易く表示することができるＣＰＴによる土質構成の表示方法を提供する。【課題を解決するための手段】  ＣＰＴで得られた先端抵抗、間隙水圧、周面摩擦のデータに基づき測定深度毎に判別される土質を、表層から測定深度方向に土質毎に異なる色で描画して集積された色柱状図１ａ，１ｂにより土質構成を表示するとともに、土質の色の凡例２を表示するＣＰＴに基づく土質構成の表示方法。先端抵抗、間隙水圧、周面摩擦のデータを併せて表示することができる。【選択図】図１
2005331288.tif 000002
【特許請求の範囲】
【請求項１】
ＣＰＴで得られた先端抵抗、間隙水圧、周面摩擦のデータに基づき測定深度毎に判別される土質を、表層から測定深度方向に土質毎に異なる色で描画して集積された色柱状図により土質構成を表示するとともに、土質の色の凡例を表示することを特徴とする電気式静的コーン貫入試験に基づく土質構成の表示方法。
【請求項２】
色柱状図がロバートソン判別法の「Ｂｑ−ｑｔ法」により得られた土質の色柱状図及び／又は「ｆｓ／ｑｔ−ｑｔ法」により得られた土質の色柱状図であることを特徴とする請求項１記載の電気式静的コーン貫入試験に基づく土質構成の表示方法。
【請求項３】
先端抵抗、間隙水圧、周面摩擦のデータを併せて表示することを特徴とする請求項１又は２記載の電気式静的コーン貫入試験に基づく土質構成の表示方法。
【発明の詳細な説明】
【技術分野】
【０００１】
本発明は、電気式静的コーン貫入試験（以下「ＣＰＴ」という。）の結果を整理して地盤の土質を、土質毎に異なる色で色柱に表示して地盤の土質構成の情報を分かり易く伝えることができるＣＰＴに基づく土質構成の表示方法に関する。
【背景技術】
【０００２】
地盤の調査にＣＰＴが利用されている。ＣＰＴはコーンを地中に静的に貫入させてコーンに作用する先端抵抗、間隙水圧、周面摩擦を測定し、測定結果から地盤の特性を評価するものである（特許文献１、非特許文献１）。
【０００３】
ＣＰＴによる測定データから得られた土質判別結果の整理に、例えば、ロバートソン（Ｒｏｂｅｒｔｓｏｎ）判別法が利用されている。
【０００４】
図３はロバートソン判別法による土質判別結果を表示した図及び土質判別結果を示す表である。図３に示すように、ロバートソン判別法による土質判別結果を表示した「Ｂｑ−ｑｔ法」の図の１０と「ｆｓ／ｑｔ−ｑｔ法」の図の１１に、土質判別結果の表１２の資料Ｎｏ．と「Ｂｑ−ｑｔ法」と「ｆｓ／ｑｔ−ｑｔ法」のそれぞれの土質を照合して、表１２の資料Ｎｏ．（１）、（２）、（３）・・・（尚、図３では丸数字で表記してある）を図の１０，１１の該当するゾーンにプロットすることにより土の判別を行っていた。
【特許文献１】特開２００４−５５７５５号公報
【非特許文献１】地盤工学会基準（ＪＧＳ  １４３５−１９９５）電気式静的コーン貫入試験方法
【発明の開示】
【発明が解決しようとする課題】
【０００５】
しかしながら、前記の「Ｂｑ−ｑｔ法」の図と「ｆｓ／ｑｔ−ｑｔ法」の図に資料Ｎｏ．（１）、（２）、（３）・・・をプロットする場合、特定の深度の土質は図中の資料Ｎｏ．でわかるが、調査深度全体の土質構成を知るためには、資料Ｎｏ．（１）、（２）、（３）・・・を順に追って行かなくてはならないので、その把握に手間がかかった。
【０００６】
また、調査深度が深くなって資料Ｎｏ．が増えると、資料Ｎｏ．が重さならないようにプロットすることが難しくなる。そのため、深さ５〜１０ｍ毎にブロック分けしブロック毎に「Ｂｑ−ｑｔ法」の図と「ｆｓ／ｑｔ−ｑｔ法」の図を用意して、資料Ｎｏ．をプロットするために手間がかかるだけでなく、図が複数あるため見ずらく、且つわかりにくかった。
【０００７】
このようにロバートソン判別法を利用する方法では測定データ毎の判別結果を利用者に分かり易く表現することができないという欠点があった。
【０００８】
そこで、本発明は、ＣＰＴによる現場試験のデータとこれに基づく土質判定による土質構成を利用者に分かり易く表示することができるＣＰＴによる土質構成の表示方法を提供するものである。
【課題を解決するための手段】
【０００９】
本発明のＣＰＴに基づく土質構成の表示方法は、ＣＰＴで得られた先端抵抗、間隙水圧、周面摩擦のデータに基づき測定深度毎に判別される土質を、表層から測定深度方向に土質毎に異なる色で描画して集積された色柱状図により土質構成を表示するとともに、土質の色の凡例を表示することを特徴とする。
【００１０】
前記構成において、先端抵抗、間隙水圧、周面摩擦のデータを併せて表示することができる。
【発明の効果】
【００１１】
本発明によるＣＰＴに基づく土質構成の表示方法では、ＣＰＴで得られる深度方向の細かな間隔（一般的には２ｃｍ毎）の先端抵抗、間隙水圧、周面摩擦の変化から経験的に判別する土質を、土質毎に異なる色で描画して集積された色柱状図で土質構成を表示することで、調査深度毎、あるいはその全体の土質構成について目視により容易に把握することができるので、土木、建築設計に適用する土質の情報を利用者に的確に分かり易く伝えることができる。
【発明を実施するための最良の形態】
【００１２】
図１は本発明のＣＰＴに基づく土質構成の表示方法により得られた土質構成の色柱状図による表示の一例を示す図である。なお、図１は白黒で表示されているが、実際はカラーで表示される。
【００１３】
図１において、ＣＰＴに基づく色柱状図には、ロバートソン判別法の「Ｂｑ−ｑｔ法」により得られた土質の色柱状図１ａと、「ｆｓ／ｑｔ−ｑｔ法」により得られた土質の色柱状図１ｂで表示される。土質の色柱状図は、必ずしも両方の色柱状図１ａ，１ｂを表示する必要はなく、いずれか一方、例えば「Ｂｑ−ｑｔ法」による色柱状図１ａを表示してもよい。さらに、土質と色を対応させた土質の凡例２が表示される。
【００１４】
色柱状図１ａ，１ｂ、及び凡例２に表示する土質の色は、地盤調査では、粘性土を青色系、砂を黄色系、礫質土を柿色系で表現するのが一般的であるから、これに倣って表示するのがわかりやすい。図１では土質の凡例２が、横に表示されているが、土質の色柱状図１ａ，１ｂの隣に縦に表示してもよい。
【００１５】
それぞれの色柱状図１ａ，１ｂは、例えば２ｃｍ毎に得られるデータによる土質判別結果に相当する土質に応じた色の細い横線を試験区間で集積したものであり、連続する土質は、同じ色線が集まり帯状に見える。
【００１６】
土質の色柱の他に、図１に示すとおり、色柱の隣に、さらに先端抵抗、間隙水圧、周面摩擦の試験結果を示すグラフを測定深度に一致して表示してもよい。
【００１７】
色柱状図１ａ，１ｂの隣には、ＣＰＴの測定により得られた先端抵抗（ｑｔ）、周面摩擦（ｆｓ）及び間隙水圧（Ｕｄ）を表層から調査深度にしたがって作成された先端抵抗のグラフ３，周面摩擦（ｆｓ）のグラフ４，間隙水圧（Ｕｄ）のグラフ５を表示してもよい。測定深度にしたがって作成された色柱状図１ａ，１ｂと各グラフ３，４，５により特定深度における土質の特性を把握することができる。
【００１８】
図２は本発明によるＣＰＴによる土質構成の色柱の作成フローである。
【００１９】
（１）ＣＰＴ試験により所定間隔（一般に２ｃｍ間隔）で先端抵抗、間隙水圧、周面摩擦を測定する（ステップ１）。
【００２０】
（２）ＣＰＴで得られるデータを処理して先端抵抗（ｑｔ）、間隙水圧比（Ｂｑ）、摩擦比（ｆｓ／ｑ１）を求める（ステップ２）。
【００２１】
（３）「Ｂｑ−ｑｔ法」と「ｆｓ／ｑｔ−ｑｔ法」の各関係値を求め、パソコン上で座標化したＲｏｂｅｒｔｓｏｎチャート図上で自動的に土質判定する（ステップ３）。
【００２２】
（４）土質に対応する色線を選択する。色線は、例えば、一般に地盤調査で使用されている、粘性土を青色系、砂を黄色系、礫質土を柿色系に設定する（ステップ４）。
【００２３】
（５）表層からの調査震度までの測定値毎に処理し、表層から調査深度方向に色を集積して描画し色柱状図を作成する（ステップ５，６）。
【００２４】
作成された土質構成は、パソコンのディスプレイに表示したり、あるいはアウトプットしてシートに表示したりして利用することができる。
【産業上の利用可能性】
【００２５】
本発明は、ＣＰＴで得られる深度方向の細かな間隔の先端抵抗、間隙水圧、周面摩擦の変化から判別する土質を、色柱状図で視覚的に把握できることで、土木、建築設計に適用することができる。
【図面の簡単な説明】
【００２６】
【図１】本発明による土質構成の表示の一例を示す図である。
【図２】本発明のＣＰＴによる色柱状図の作成フローを示す図である。
【図３】ロバートソン判別法による土質判別結果を表示した図及び土質判別結果を示す表である。
【符号の説明】
【００２７】
１ａ，１ｂ：色柱状図
２：土質の凡例
３：先端抵抗のグラフ
４：周面摩擦のグラフ
５：間隙水圧のグラフ
【図１】
2005331288.tif 000003
【図２】
2005331288.tif 000004
【図３】
2005331288.tif 000005